(57)【要約】【課題】家庭や職場に導入しやすいＩＣタグリーダを提供する。  【解決手段】ＩＣタグリーダ１は、時刻表示部１０が形成されている。この時刻表示部１０には、時針１０ｂ、分針１０ｃ、秒針１０ｄが備えられ、これらの針１０ｂ〜１０ｄで時刻表示面１０ａに記載された数字を指して時刻を示している。また、ＩＣタグリーダ１は、時刻表示部１０の中央に、ＩＣタグから、ＩＣタグに記憶された第１情報を無線により読み取るリード装置１４が内蔵されており、第１情報は、時刻表示面１０ａを介して読み取られる。このＩＣタグリーダ１は、時刻表示部１０により時刻を表示することができるので、時計としても利用することができる。またＩＣタグリーダ１は、常に時刻が表示されているので、ＩＣタグリーダ１に電源が入っているか否か、すなわち、ＩＣタグ２５から第１情報が読み取られるか否かが一目で分かる。【選択図】図１
2007148643.tif 000002
【特許請求の範囲】
【請求項１】
時刻表示面に時刻を示す時刻表示手段と、
この時刻表示面を介して前記ＩＣタグに記憶された第１情報を無線により読み取るリード手段と、
を備えることを特徴とするＩＣタグリーダ。
【請求項２】
請求項１記載のＩＣタグリーダにおいて、
前記時刻表示手段は、時針、分針、秒針を備え、これらの針で時刻表示面に記載された数字を指して時刻を示すことを特徴とするＩＣタグリーダ。
【請求項３】
請求項１〜２の何れかに記載のＩＣタグリーダにおいて、
時刻を示す第２情報を生成する時刻手段と、
前記リード手段で読み取られた第１情報に、この第１情報が読み取られたときに前記時刻手段で生成された第２情報を付加して記憶する記憶手段と
を備えることを特徴とするＩＣタグリーダ。
【請求項４】
請求項３記載のＩＣタグリーダにおいて、
前記時刻表示手段は、前記時刻手段で生成された前記第２情報基づいて時刻を示すことを特徴とするＩＣタグリーダ。
【請求項５】
請求項４記載のＩＣタグリーダにおいて、
前記記憶手段は、当該ＩＣタグリーダに対し着脱可能であることをＩＣタグリーダ。
【発明の詳細な説明】
【技術分野】
【０００１】
本発明は、無線によりＩＣタグから情報を読み込むＩＣタグリーダに関する。
【背景技術】
【０００２】
近年、ＩＣタグの需要が増加している。しかし、ＩＣタグに記憶された情報をＩＣタグから読み取るには、専用のＩＣタグリーダが必要である。
【発明の開示】
【発明が解決しようとする課題】
【０００３】
しかし、従来のＩＣタグリーダは専用品であり、このような専用品を家庭や職場等の室内に設置しようとしても、場所をとるため設置できないことがあった。このことが、ＩＣタグの家庭や職場での普及の妨げとなっていた。
【０００４】
そこで本発明では、上述した問題点を解決し、家庭や職場に導入しやすいＩＣタグリーダを提供することを目的とする。
【課題を解決するための手段】
【０００５】
上述した問題を解決するためになされた発明である請求項１記載のＩＣタグリーダは、時刻表示面に時刻を示す時刻表示手段と、この時刻表示面を介して前記ＩＣタグに記憶された第１情報を無線で読み取るリード手段とを備えることを特徴とする。このＩＣタグリーダは、時刻表示手段により時刻を表示することができるので、時計としても利用することができる。そのため、ＩＣタグリーダを家庭や職場に導入する際、従来設置されていた時計に代えて、本発明のＩＣタグリーダを設置すれば、場所をとらないので、家庭や職場に手軽に導入することができる。また、本発明のＩＣタグリーダは、常に時刻が表示されているので、ＩＣタグリーダに電源が入っているか否か、すなわち、ＩＣタグから第１情報が読み取られるか否かが一目で分かる。さらに、本発明のＩＣタグリーダは、常に時刻が表示されているので、ユーザは、ＩＣタグリーダに第１情報を読み込ませた時刻を正確に把握することができる。
【０００６】
ところで、時刻表示手段は、時針、分針、秒針を備え、これらの針で時刻表示面に記載された数字を指して時刻を示すものでもよいし、デジタル式の物でも良い。尚、時刻表示手段としては、時分だけでもかまわないが、秒まで行っていることが好ましい。秒まで行っていると，ＩＣタグリーダの電源が入っていることが把握しやすいからである。
【０００７】
請求項３に記載されたＩＣタグリーダのように、時刻を示す第２情報を生成する時刻手段を備え、ＩＣタグリーダが、この時刻手段を用いて第２情報を生成する場合、リード手段で読み取られた第１情報に、この第１情報が読み取られたときに時刻手段で生成された第２情報を付加して記憶する記憶手段を備えることが好ましい。この記憶手段を備えていると、記憶手段に記憶された第１情報及び第２情報を呼び出せば、第１情報が読み取られたときの時刻を、第１情報が読み取られた後で、第２情報を用いて確認することができる。
【０００８】
請求項４に記載されたＩＣタグリーダのように、時刻表示手段は、この時刻手段で生成された第２情報に基づいて時刻を示すことが好ましい。時刻を示す第２情報は、水晶発振器など、ＩＣタグの内部で第２情報を生成するための装置を用いて生成してもよいし、外部から時刻に関する情報を受信して生成してもよい。
【０００９】
請求項５に記載したように、記憶手段は、ＩＣタグリーダに対し着脱可能であることが好ましい。記憶手段をＩＣタグリーダから取り外し、その記憶手段をコンピュータ等で使用することにより、第１情報及び第２情報をコンピュータ等で利用することができる。
【発明を実施するための最良の形態】
【００１０】
以下、本発明を実施するための最良の形態について図面を用いて説明する。
ここで、図１は、ＩＣタグリーダの外観斜視図、図２は、内部構成を示したブロック図である。
[外部構成]
本実施形態のＩＣタグリーダ１は、図１に示すように、本体部１ａと、この本体部１ａを支える土台部１ｂとを備えている。そして、本体部１ａは、土台部１ｂ上に固定されている。
【００１１】
本体部１ａは、人に対向する側面に時刻表示部１０が形成されている。この時刻表示部１０には、時針１０ｂ、分針１０ｃ、秒針１０ｄが備えられ、これらの針１０ｂ〜１０ｄで時刻表示面１０ａに記載された数字を指して時刻を示している。
【００１２】
また、本実施形態のＩＣタグリーダ１は、時刻表示部１０の中央に、ＩＣタグ２５（図２参照）から、ＩＣタグ２５に記憶された第１情報を無線により読み取るリード装置１４が内蔵されており、第１情報は、時刻表示面１０ａを介して読み取られる。
[内部構成]
次に、本実施形態のＩＣタグリーダ１の内部構成について説明する。
【００１３】
このＩＣタグリーダ１は、図２に示すように、中央制御装置２０と、時刻装置２２と、リード装置２４と、針駆動装置２６と、記憶装置２８、その他の装置３０とを備えている。
【００１４】
中央制御装置２０は、ＣＰＵ、ＲＯＭ、ＲＡＭ等を備えるコンピュータ装置である。
時刻装置２２は、標準電波送信所１００から発せられる標準電波を受信して、その標準電波に載せられた時刻情報を中央制御装置２０に出力する装置である。中央制御装置２０は、独自に時刻を計時しているが、この時刻装置２２から時刻を示す情報を入力すると、計時している時刻を、時刻情報が示す時刻に修正する処理を行っている。そして、この中央制御装置２０からその修正された時刻を示す第２情報が出力される。
【００１５】
リード装置２４は、ＩＣタグ２５に記憶された第１情報をＩＣタグ２５から無線で読み取る装置である。
針駆動装置２６は、中央制御装置２０から受信した時刻を示す第２情報を受信して、その第２情報が示す時刻を示すように、時針１０ｂ、分針１０ｃ、秒針１０ｄを動かす装置である。
【００１６】
記憶装置２８は、ＩＣメモリーが内蔵された記憶メディア２９を取外し可能に構成された装置である。この記憶装置２８は、記憶メディア２９を取り付けると、中央制御装置２０から入力した情報をメディア２９に記憶させることができる。
【００１７】
その他の装置３０としては、タイマー装置、スピーカ装置等が挙げられるが、これらの装置以外の装置を備えていてもよい。
[各種処理]
次に、上述した構成のＩＣタグリーダにおいて行われる各種処理について説明する。
【００１８】
ここで、図３は、記憶処理のフローチャートである。
この記憶処理は、電源がＯＮされると常時行われる処理である。
この記憶処理（Ｓ１）を開始すると、まず、リード装置１４が、所定時間毎に質問用の信号を発する処理を開始する（Ｓ１０）。ＩＣタグ２５がリード装置２４に近づけられ、ＩＣタグ２５がこの質問用の信号を受信すると、回答用の信号を送信するので、この回答用の信号を検出したか否かを判定する（Ｓ１２）。この判定で、回答用信号が検出されないときは（Ｓ１２：ＮＯ）、引き続きＳ１０の処理を実行する。一方、この判定で、回答用信号が検出された場合は、ＩＣタグ２５から第１情報を読み込む処理を実行し（Ｓ１４）、Ｓ１６では、中央制御装置２０は、第１情報に第２情報を付加して、記憶メディア２９に記憶する処理を実行して、本処理（Ｓ１）を終了する。
[効果]
以上説明したＩＣタグリーダ１を用いると以下のような効果がある。
【００１９】
このＩＣタグリーダ１は、時刻表示部１０に時刻を示しているので、時計としても利用することができる。そのため、ＩＣタグリーダ１を家庭や職場に導入する際、従来設置されていた時計に代えて、本実施形態のＩＣタグリーダ１を設置すれば、場所をとらないので、家庭や職場に手軽に導入することができる。また、本実施形態のＩＣタグリーダ１は、常に時刻が表示されているので、ＩＣタグリーダ１に電源が入っているか否か、すなわち、ＩＣタグ２５から第１情報が読み取られるか否かが一目で分かる。特に本実施形態のＩＣタグリーダ１は、秒針１０ｄを備えているので、秒針１０ｄを備えていないものに比べ、ＩＣタグリーダの電源が入っていることが把握しやすい。さらに、本実施形態のＩＣタグリーダ１は、常に時刻が表示されているので、ユーザは、ＩＣタグリーダ１に第１情報を読み込ませた時刻を正確に把握することができる。
【００２０】
以上本発明の一実施形態ついて説明したが、本発明はこの実施形態に何等限定されるものではなく、本発明の要旨を逸脱しない範囲において、種々なる態様で実施し得ることは勿論である。
【００２１】
例えば、上記実施形態では、時刻表示部１０は、時針１０ｂ、分針１０ｃ、秒針１０ｄを備えているが、時針１０ｂ、分針１０ｃだけでもよい。また、本実施形態では、時針１０ｂ等を備える、いわゆるアナログ式の時計を用いているが、デジタル式の時計でもよい。
【００２２】
本実施形態では、標準電波を受信して時刻を示す第２情報を中央制御装置２０で生成していたが、時刻装置２２に代えて、水晶発振器など正確な時刻に関する情報を発信可能な装置を用いてもよいことはもちろんである。
【００２３】
ところで、上記実施形態のＩＣタグリーダ１の利用方法としては、以下のような方法がある。
ＩＣタグ２５には、ＩＣタグ２５のＩＰアドレスと、このＩＣタグ２５が取り付けられているものが何かを示す取付物情報とを、少なくとも記憶している。
【００２４】
取付物情報とは、例えば、図２に示すように、ＩＣタグ２５が鍵に取り付けられていたとしたら、鍵であることを示す文字情報が、これに相等する。ここでは、この文字情報が前述した第１情報となる。
【００２５】
このＩＣタグ２５が取り付けられた鍵をＩＣタグリーダ１にかざすと、ＩＣタグ２５から取付物情報が出力され、この取付物情報は、リード装置２４によって受信され、中央制御装置２０に入力される。すると、中央制御装置２０は、その取付物情報に第２情報を付加し、記憶メディア２９に記憶する処理を実行する。
【００２６】
このようにすると、記憶メディア２９には、取付物情報である第１情報と、第２情報とが関連付けられた情報が複数記憶される。
この記憶メディア２９から情報を読み取り可能なコンピュータ装置を用いると、鍵がいつ使用されたかが一目で分かる。
【００２７】
尚、第１情報として、文字情報のほかに、その鍵の所有者の情報である所有者情報をも、第１情報としてＩＣタグ２５に記録しておき、この第１情報を第２情報とともに記録メディア２９に記憶すれば、誰がいつ鍵を使用したかが分かる。
【００２８】
また、上記利用方法の説明では、鍵にＩＣタグ２５を取り付けることについて説明したが、例えば、教科書にＩＣタグ２５を取り付けてもよい。この場合、第１情報として、教科書の教科名等をＩＣタグ２５に記憶しておくとよい。このＩＣタグ２５から第１情報を読み込むと、記憶メディア２９には、教科書の教科名とその教科書をＩＣタグリーダ１にかざした時間が分かるので、勉強をする際に教科書をＩＣタグリーダ１にかざせば、勉強のスケジュール管理をすることもできる。
【図面の簡単な説明】
【００２９】
【図１】ＩＣタグリーダの外観斜視図である。
【図２】内部構成を示したブロック図である。
【図３】記憶処理のフローチャートである。
【符号の説明】
【００３０】
１…ＩＣタグリーダ、１ａ…本体部、１ｂ…土台、１０…時刻表示部、１０ａ…時刻表示面、１０ｂ…時針、１０ｃ…分針、１０ｄ…秒針、１４…リード装置、２０…中央制御装置、２１…ＩＣメモリ、２２…時刻装置、２４…リード装置、２５…ＩＣタグ、２６…針駆動装置、２８…記憶装置、２９…記憶メディア、１００…標準電波送信所
【図１】
2007148643.tif 000003
【図２】
2007148643.tif 000004
【図３】
2007148643.tif 000005